(57)【要約】      （修正有）【課題】すごろくマネーワークシートと一生涯に亘る家計の収支計算用ワークシートを組み合わせることにより、ライフイベントごとに利用可能な社会保障制度等を学習する事が出来ると共に、一生涯に亘る家計の収支計算のシミュレーションを行うことも出来、ライフプラン作成の必要性を認識させることを可能とするワークシートを提供する。【解決手段】シート状の本体１に、スタート区画２、ゴール区画及びスタート区画２とゴール区画をつなぐ複数の中間区画４１Ａ〜４１Ｆ，４２から成るすごろくゲーム用ルートを表示し、中間区画４１Ａ〜４１Ｆ，４２には社会保障制度等と家計の収支計算に関する情報又は質問事項を記載する。記載された情報に基づき一生涯に亘る家計の収支計算を円滑に行うため収支計算シートも備えられている。【選択図】図１
0003192982.tif 000002
【実用新案登録請求の範囲】
【請求項１】
シート状の本体に、スタート区画、ゴール区画及びスタート区画とゴール区画をつなぐ複数の中間区画から成るすごろくゲーム用ルートが表示され、前記中間区画には社会保障制度等と家計の収支計算に関する情報が記載されたすごろくマネーワークシートと、
シート状の本体に、上から順に、収入記入欄と支出記入欄を有する収支計算シートと、からなるワークシート。
【請求項２】
シート状の本体に、スタート区画、ゴール区画及びスタート区画とゴール区画をつなぐ複数の中間区画から成るすごろくゲーム用ルートが表示され、前記中間区画には社会保障制度等と家計の収支計算に関する情報又は質問事項が記載されたすごろくマネーワークシート。
【考案の詳細な説明】
【技術分野】
【０００１】
本考案は、すごろくゲームを通じてライフイベントごとに利用可能な社会保障制度等を学習しながら、一生涯に亘る家計の収支計算のシミュレーションを行い、ライフプランニングの必要性を体感するためのワークシートに関するものである。
【背景技術】
【０００２】
個人の生活を安定させるための法律や制度が存在するにも関わらす、実際に利用すべき者にほとんど周知されていないという現状がある。そのため、これらの制度の円滑な利用ができていない者や利用そのものができない者が存在する。また少子高齢化により年金受給額が減っていく可能性があり、各個人が可能な限り早い段階で自己の人生における様々な事案について検討し、理想の人生を過ごすためのライフプランニングを作成する必要性が高まっている。
【０００３】
またこれらの状況は、日常的には表面化していないため認識しにくく、単純な説明では理解し難いということもあり、こうした状況を認識した時点では対策が取れないという問題がある。
【考案の概要】
【考案が解決しようとする課題】
【０００４】
本考案が解決しようとする問題点は、  誰もが利用可能な社会保障制度や、早い段階でライフプランニングを作成する必要性が、日常生活や会話の中だけではなかなか認識できず、対策が取れなくなる点である。
【課題を解決するための手段】
【０００５】
本考案は、上記課題を解決するため、シート状の本体に、スタート区画、ゴール区画及びスタート区画とゴール区画をつなぐ複数の中間区画から成るすごろくゲーム用ルートを表示し、前記中間区画には  ライフイベントごとに使える社会保障制度等に関する情報又は質問事項を記載した。記載された情報に基づき一生涯に亘る家計の収支計算のシミュレーションを円滑に行うため収支計算シートも備えられている。
【考案の効果】
【０００６】
本考案のワークシートによれば、ライフイベントごとに利用可能な社会保障制度等を学習することができ、収支計算シミュレーションを行うことによりライフプランニング作成の必要性を認識できる。中間区画は、年齢が若い順に並んでおり、駒を進めていくと生涯に必要な費用と利用できる社会保障制度等が時系列で把握できるようになっている。またスタート時の年齢設定を変更することにより、様々な年代の家計の収支計算のシミュレーションに対応することも可能となっている。
【図面の簡単な説明】
【０００７】
【図１】図１は本考案に係るすごろくマネーワークシートの左部を表した説明図である。（実施例１）
【図２】図２は本考案に係るすごろくマネーワークシートの右部を表した説明図である。（実施例１）
【図３】図３は本考案に係る収支計算シートを表した説明図である。（実施例２）
【考案を実施するための形態】
【０００８】
以下、本考案に係るすごろくマネーワークシートの実施形態について図面を参照しながら説明をする。図１は本考案に係るすごろくマネーワークシートの左部を表した説明図、図２は本考案に係るすごろくマネーワークシートの右部を表した説明図、図３は本考案に係る収支計算シートを表した説明図である。
【実施例１】
【０００９】
本考案に係るすごろくマネーワークシートの本体１は、横方向に使用するA４版を２枚で使用するのが好ましく、シートについては紙製が最も好ましい。
【００１０】
収支計算をする者は、例えばサイコロ、ルーレットなどの乱数手段によって得られたポイントの数だけスタート区画２からゴール区画３に向けて中間区画上に駒（不図示）を進める。中間区画には必須中間区画４１と普通中間区画４２があり、必須中間区画４１は通過した場合であっても当該区画に記載された情報及び質問事項に基づき収支計算を行う。普通中間区画４２は駒が止まった場合にのみ記載された指示に従う。複数人で実施する場合、各自に当該ワークシートを用意し、乱数手段によるポイント獲得を順次実施していくが、得られたポイントが自他に関わらず駒を進める。したがって駒の進み方は実施者全員が同様となる。
【００１１】
必須中間区画４１には、金銭面に関わる情報が記載されている。それぞれの中間区画に記載された内容を以下に示す。
必須中間区画４１A      社会保険及び労働保険に係る情報
必須中間区画４１B      給与及び控除に係る情報並びに生涯給料手取総額記入欄
必須中間区画４１C      医療保険に係る情報
必須中間区画４１D      自動車購入選択欄
必須中間区画４１E      婚姻選択欄及び勤務継続選択欄自動車購入選択欄
必須中間区画４１F      死亡保障の保険に係る情報
必須中間区画４１G      出産に係る情報
必須中間区画４１H      子育ての費用に係る情報
必須中間区画４１I      入院に係る情報
必須中間区画４１J      住宅購入選択欄
必須中間区画４１K      親死亡に関する情報
必須中間区画４１L      定年退職に関する情報
必須中間区画４１M     年金受給に関する情報
必須中間区画４１N      確定申告に関する情報
必須中間区画４１O      変動金利に関する情報
必須中間区画４１P      住宅リフォームに関する情報
【００１２】
普通中間区画４２には、社会生活における一般的事項が記載されている。例として「入社」、「年休取得」「年末調整」「臨時収入」「確定申告」「介護」等がある。
【００１３】
必須中間区画４１はピンク色の枠で、普通中間区画４２は黄色の枠で、それぞれ囲まれており識別が容易となっている。
【００１４】
収支計算シートは、収入記入欄５と支出記入欄６を有する。収入記入欄には「給与」、「年金」、「その他収入」を記入し、支出記入欄には「生活費」「保険料」「自動車に関する費用」「教育費」「住居費」「介護費」「その他支出」を記入する。これらの記入はすごろくと連動して行う場合もある。
【符号の説明】
【００１５】
１    本体
２    スタート区画
３    ゴール区画
４１  必須中間区画
４２  普通中間区画    
５    収入記入欄
６    支出記入欄
【図１】
0003192982.tif 000003
【図２】
0003192982.tif 000004
【図３】
0003192982.tif 000005